(57)【特許請求の範囲】
【請求項１】
根太材間に床材を架設する根太式床構造において、
前記根太材は、所定間隔をおいて互いに平行に設置される第１の根太材と、長手方向が前記第１の根太材の長手方向とほぼ直角となるとともに所定間隔をおいて互いに平行に設置される第２の根太材とを備え、
前記第２の根太材は、一方の先端部が、前記第１の根太材の内の一方の側端に位置する側端根太材の長手方向に沿って並ぶとともに、他方の先端部が、壁際等の、前記床材の設置範囲の外縁部分に達し、また、
前記第１の根太材間に架け渡される床材の、その架け渡される方向に測った長さ寸法に合わせるようにして、前記第２の根太材が、間隔をおいて並べられることを特徴とする根太式床構造。
【請求項２】
前記第２の根太材は、前記第１の根太材が並ぶ方向において、前記長さ寸法に満たない部分に設置されることを特徴とする請求項１に記載の根太式床構造。
【請求項３】
根太材間に床材を架設する根太式床構造において、
前記根太材は、所定間隔をおいて互いに平行に設置される第１の根太材と、長手方向が前記第１の根太材の長手方向とほぼ直角となるとともに所定間隔をおいて互いに平行に設置される第２の根太材とを備え、
前記第２の根太材は、一方の先端部が、前記第１の根太材の内の一方の側端に位置する側端根太材の長手方向に沿って並ぶとともに、他方の先端部が、壁際等の、前記床材の設置範囲の外縁部分に達し、また、
前記第２の根太材の一方の先端部の端面が、前記側端根太材の側面と離れて向かい合って、
前記側端根太材と前記第２の根太材の一方の先端部との間に架設される連絡用床材を備えてなることを特徴とする根太式床構造。
【発明の詳細な説明】
【０００１】
【発明の属する技術分野】
この発明は、床材の配設作業を簡単化するための根太式床構造に関するものである。
【０００２】
【従来の技術】
従来、根太材間に床材を架設する根太式床構造においては、図１０に示すように、根太材３１、３１を全て一定の向きに並設していた。かかる従来の根太式床構造においては、その施工にあたって、部屋の一方（図１０において左側）の壁面３２ａ側から順に他方（図１０において右側）の壁面３２ｂ側に向かって、一定寸法の標準床材３３の、根太材３１、３１間に架け渡す方向に測った長さ寸法Ｘに合わせて、それらの根太材３１、３１を並べて行った。そして、標準床材３３、３３を、隣合う根太材３１、３１間に架設するように、根太材３１、３１の長手方向の一方側３１ａ（図１０において上側）から他方側３１ｂ（図１０において下側）に向かって、順に並べていった。このとき、部屋の、根太材３１の長手方向に測った寸法Ｌ１は、必ずしも、標準床材３３の、寸法Ｘの長さ方向と直角となる方向の寸法、つまりは根太材３３の長手方向に測った幅寸法Ｙの整数倍とは限らず、この場合、根太材３１、３１の長手方向の他方側まで、きっちりと標準床材３３、３３を配設することができなかった。そこで、根太材３１、３１間に架け渡す方向に測った長さ寸法を標準床材３３と同一のＸとし、根太材３１の長手方向に測った幅寸法を、例えば、Ｙの１／５、１／１５というように標準床材３３よりも小さくした隙間用床材３４を何種類か用意して、それら隙間用床材３４、３４を適宜組み合わせて根太材３１、３１の長手方向に沿って並べるように配設することで対応していた。
【０００３】
一方、部屋の、前記一方の壁面３２ａから他方の壁面３２ｂ間の寸法Ｌ２も、必ずしも床材（標準床材３３、隙間用床材３４）の長さ寸法Ｘの整数倍とは限らず、この場合、前記の場合と同様、部屋の他方の壁面３２ｂ側まで、きっちりと床材３３、３４を配設することができなかった。そこで、根太材３１を部屋の他方の壁面３２ｂに沿わせて設置するとともに、その根太材３１に載置される床材３５、３６、つまりは部屋の他方の壁面３２ｂに沿って配設される床材には、全て、標準床材３３や隙間用床材３４を、その長さ寸法Ｘが小さくなるように切断したものを充てることで対応していた。
【０００４】
【発明が解決しようとする課題】
このように、従来の根太式床構造にあっては、一般に、根太材３１、３１が並ぶいずれか一方側に配設される床材３５、３６は、全て、部屋の大きさ（一方の壁面から他方の壁面間の寸法Ｌ２）に合わせて、切断したものが使用されており、床材の配設作業の能率を下げる原因となっていた。
【０００５】
この発明は、上記した従来の欠点を解決するためになされたものであり、その目的とするところは、床材の配設作業を簡単化して、その作業の能率を高めるための根太式床構造を提供することにある。
【０００６】
【課題を解決するための手段】
この発明に係る根太式床構造は、前記目的を達成するために、次の構成からなる。すなわち、
請求項１に記載の発明は、根太材間に床材を架設する根太式床構造において、前記根太材は、所定間隔をおいて互いに平行に設置される第１の根太材と、長手方向が前記第１の根太材の長手方向とほぼ直角となるとともに所定間隔をおいて互いに平行に設置される第２の根太材とを備える。そして、前記第２の根太材は、一方の先端部が、前記第１の根太材の内の一方の側端に位置する側端根太材の長手方向に沿って並ぶとともに、他方の先端部が、壁際等の、前記床材の設置範囲の外縁部分に達している。また、前記第１の根太材間に架け渡される床材の、その架け渡される方向に測った長さ寸法に合わせるようにして、前記第２の根太材が、間隔をおいて並べられる。これにより、第２の根太材は、所定間隔をおいて互いに平行に配置されて、側端根太材側から床材の設置範囲の外縁部分に達するまで延びることとなる。したがって、第２の根太材の長手方向に測った幅寸法が小さい床材を複数用意しておけば、これらの床材の内の１枚または複数枚を適宜選択して、第２の根太材の長手方向に沿って並べるように、その第２の根太材間に架設することで、床材の設置範囲の外縁部分まで、床材で満たすことができる。
【０００７】
また、請求項２に記載の発明のように、前記第２の根太材は、前記第１の根太材が並ぶ方向において、前記長さ寸法に満たない部分に設置されてもよい。
【０００８】
また、請求項３に記載の発明は、根太材間に床材を架設する根太式床構造において、前記根太材は、所定間隔をおいて互いに平行に設置される第１の根太材と、長手方向が前記第１の根太材の長手方向とほぼ直角となるとともに所定間隔をおいて互いに平行に設置される第２の根太材とを備える。そして、前記第２の根太材は、一方の先端部が、前記第１の根太材の内の一方の側端に位置する側端根太材の長手方向に沿って並ぶとともに、他方の先端部が、壁際等の、前記床材の設置範囲の外縁部分に達している。また、根太式床構造は、前記第２の根太材の一方の先端部の端面が、前記側端根太材の側面と離れて向かい合って、前記側端根太材と前記第２の根太材の一方の先端部との間に架設される連絡用床材を備える。これにより、第２の根太材は、所定間隔をおいて互いに平行に配置されて、側端根太材側から床材の設置範囲の外縁部分に達するまで延びることとなる。したがって、第２の根太材の長手方向に測った幅寸法が小さい床材を複数用意しておけば、これらの床材の内の１枚または複数枚を適宜選択して、第２の根太材の長手方向に沿って並べるように、その第２の根太材間に架設することで、床材の設置範囲の外縁部分まで、床材で満たすことができる。そして、連絡用床材が、互いに離れて設置される側端根太材と第２の根太材との間を塞ぐように配設される。
【０００９】
【発明の実施の形態】
以下、この発明に係る根太式床構造の実施の形態を、図面に基づいて説明する。
【００１０】
図１ないし図３は、本発明に係る根太式床構造の第一の実施の形態を示す。根太材間に架設される床材は、標準床材１の他に、隙間用床材２が用意されている。標準床材１は、例えば、長方形形状をしており、根太材間に架け渡す方向に測った長さ寸法Ａと、標準床材１が架け渡された根太材の長手方向に測った幅寸法、つまりは寸法Ａと直角となる方向の幅寸法Ｂとの比は、例えば、２：１となっている。隙間用床材２は、細長い長方形形状をしており、根太材間に架け渡す方向に測った長さ寸法は、標準床材１と同一のＡであるが、隙間用床材２が架け渡された根太材の長手方向に測った幅寸法は、例えば、標準床材１の幅寸法Ｂの１／５となっている。
【００１１】
そして、図１に示すように、第１の根太材３は、部屋の一方（図１において左側）の壁面４ａ側から順に他方（図１において右側）の壁面４ｂ側に向かって、所定間隔をおいて互いに平行に、つまり、標準床材１および隙間用床材２の長さ寸法Ａに合わせるようにして並べられて、設置されている。但し、壁面４ａに沿って設置される根太材３および後述する側端根太材６は、境界部専用の根太材であるため、他の通常の根太材３、３とは具体的構造を異にしている。ここで、通常の根太材とは、その根太材の長手方向に沿って、その両側に床材が載置される根太材をいい、境界部専用の根太材とは、その根太材の長手方向に沿って、その一方側にのみ床材が載置される根太材をいう（以下同じ）。そして、部屋の他方の壁面４ｂ側において、床材１、２の長さ寸法Ａに満たない部分に、第２の根太材５が、長手方向が第１の根太材３の長手方向とほぼ直角となるとともに、所定間隔をおいて互いに平行に、つまり、床材１、２の長さ寸法Ａに合わせるようにして並べられて、設置されている。詳細には、第２の根太材５、５は、一方の先端部５ａ、５ａの端面５ｂ、５ｂが、前記第１の根太材３、３の内の一方の側端（図１において右端）に位置する側端根太材６の側面６ａに当接するようにして、それら一方の先端部５ａ、５ａが、側端根太材６の長手方向に沿って、その側端根太材６の長手方向の一方側６ｂ（図１において上側）から他方側６ｃ（図１において下側）に向かって並んでいる。但し、一方側６ｂおよび他方側６ｃの側面６ａに当接するように設置される第２の根太材５、５は、境界部専用の根太材であるため、他の通常の根太材５、５とは具体的構造を異にしている。そして、第２の根太材５、５の他方の先端部５ｃ、５ｃが、床材１、２の設置範囲の外縁部分としての壁際、ここでは部屋の他方の壁面４ｂ部分に達している。こうして、第２の根太材５、５は、所定間隔をおいて互いに平行に配置されて、側端根太材６側から壁際に達するまで延びることとなる。また、第２の根太材５、５が並べられる終端部分においては、床材１、２の長さ寸法Ａに満たない部分に、第３の根太材７が、側端根太材６の延長上に設置され、さらに、第４の根太材８が、部屋の他方の壁面４ｂに沿って設置されている。但し、第３の根太材７は、通常の根太材であり、また、第４の根太材８は、境界部専用の根太材であり、それらは、具体的構造を異にしている。
【００１２】
そして、図２に示すように、隣合う第１の根太材３、３間に架設するように、標準床材１、１が、第１の根太材３、３の長手方向の一方側３ａ、３ａ（図２において上側）から他方側３ｂ、３ｂ（図２において下側）に向かって、順に並べられる。このとき、第１の根太材３、３の長手方向の他方側３ｂ、３ｂにおいて、標準床材１の幅寸法Ｂに満たない部分に、それぞれ、隙間用床材２が、１枚または複数枚が適宜選択されて（図２においては、３枚）、第１の根太材３の長手方向に沿って並べられる。
【００１３】
一方、隣合う第２の根太材５、５間に架設するように、それぞれ、標準床材１および隙間用床材２が、１枚または複数枚が適宜選択されて（図２においては、標準床材１が１枚、隙間用床材２が３枚）、第２の根太材５の長手方向に沿って並べられる。
【００１４】
また、第３の根太材７と第４の根太材８との間に架設するように、隙間用床材２をその長さ寸法Ａが架設する長さに合わせて短くなるよう切断したコーナー用床材９が、１枚または複数枚が適宜選択されて（図２においては、３枚）、第３および第４の根太材７、８の長手方向に沿って並べられる。
【００１５】
図３は、支持脚１２、１２により所定高さに支持された、第１の根太材３（通常の根太材）と側端根太材６（境界部専用の根太材）との間に、標準床材１が架設され、同じく支持脚１２、１２により所定高さに支持された第２の根太材５、５の内の、特に、通常の根太材５、５間に、標準床材１が架設された部分を示す斜視図である。
【００１６】
以上のように、第一の実施の形態においては、第２の根太材５、５は、側端根太材６側から壁際に達するまで延びている。したがって、標準床材１および隙間用床材２の内の１枚または複数枚を適宜選択して、第２の根太材５、５の長手方向に沿って並べるように、その第２の根太材５、５間に架設すれば、壁際まで、これら標準床材１および隙間用床材２で満たすことができる。よって、床材の切断は、第３および第４の根太材７、８間に架設されるコーナー用床材９、９だけでよく、第２の根太材５、５間には、標準床材１、１および隙間用床材２、２をそのまま架設すればよいので、床材の配設作業が簡単化されて、その作業の能率を高めることができる。
【００１７】
図４ないし図６は、本発明に係る根太式床構造の第二の実施の形態を示す。第二の実施の形態における根太式床構造は、第一の実施の形態と比較すると、側端根太材が異なり、第２の根太材５、５間に架設される隙間用床材２が２枚である点を除いて同一であり、以下に、異なる点を中心に説明する。
【００１８】
ここでは、第１の根太材３、３の内の一方の側端に位置する側端根太材１１、１１は、それぞれ、隣合う第２の根太材５、５の一方の先端部５ａ、５ａ間に架設されている。図６は、側端根太材１１が、支持脚１２、１２により所定高さに支持された第２の根太材５、５の内の、特に、通常の根太材５、５間に架設された部分を示す斜視図である。側端根太材１１は、第２の根太材５、５の一方の先端部５ａ、５ａに取り付けられる保持部材１３、１３と、それら保持部材１３、１３間に架設されて、床材（図示実施の形態においては、標準床材１、１）を所定高さに支持する支持部材１４とからなる。
【００１９】
保持部材１３は、板材が曲げ加工等されて、第２の根太材５の一方の先端部５ａを覆うように形成されており、その一方の先端部５ａの端面側から、その一方の先端部５ａに圧入されることで取り付けられる。
【００２０】
支持部材１４もまた、板材が曲げ加工等されて形成されており、上部片１４ａ、第１の側部片１４ｂ、第２の側部片１４ｃ、下部片１４ｄおよび係合部としての係合片１４ｅが、保持部材１３、１３間に架設されるよう左右に延びている。ここで、上部片１４ａは、その上面が、側端根太材１１、１１に載置される標準床材１、１（図５において、側端根太材１１、１１の左側に位置する床材）および第２の根太材５、５に載置される標準床材１、１（図５において、側端根太材１１、１１の右側に位置する床材）の上面と面一となって、これら標準床材１、１とともに、部屋の床を形成している。そして、第１の側部片１４ｂは、上部片１４ａの一方の長手側縁から下方に直角に折れ曲がって若干延びている。第２の側部片１４ｃは、上部片１４ａの他方の長手側縁から、前記第１の側部片１４ｂよりも下方に長く直角に折れ曲がって延びている。下部片１４ｄは、第２の側部片１４ｃの下端から外側に直角に折れ曲がって延びている。さらに、係合片１４ｅは、下部片１４ｄの外側から上方に直角に折れ曲がって延びており、この係合片１４ｅが、標準床材１の左右の側端部の裏面側にて下向きに開口するように形成された凹溝１ａ、１ａの一方と係合して、その標準床材１を支持することとなる。なお、図示実施の形態においては、凹溝１ａは、標準床材１の本体１ｂに取り付けられた合成ゴム等からなる緩衝部材１ｃにより形成されている。そして、この支持部材１４は、上部片１４ａの左右の両端部が、第２の根太材５、５に取り付けられた保持部材１３、１３に載せられて、それら保持部材１３、１３に、ネジ１５により取り付けられる。
【００２１】
このようにして、側端根太材１１、１１は、第２の根太材５、５の一方の先端部５ａ、５ａ間に架設されて、それら第２の根太材５、５を介して支持されることとなる。したがって、この側端根太材１１、１１を、第２の根太材５、５を介することなく下から直接支持する場合に必要となる支持脚等の部材が不要となる。
【００２２】
図７ないし図９は、本発明に係る根太式床構造の第三の実施の形態を示す。第三の実施の形態における根太式床構造は、第一の実施の形態と比較すると、第２の根太材５、５の配置およびその第２の根太材５、５間に架設される床材が異なり、他はほぼ同一である。以下に、異なる点を中心に説明する。
【００２３】
第２の根太材５、５は、その一方の先端部５ａ、５ａの端面５ｂ、５ｂが、側端根太材６の側面６ａと離れて向かい合っている。また、第３の根太材７は、側端根太材６の延長上に、その側端根太材６と一体に形成されている。そして、長方形形状の連絡用床材２１、２１が、それぞれ、側端根太材６と、隣合う第２の根太材５、５の一方の先端部５ａ、５ａとの間に架設され、さらに、隙間用床材２が、適宜選択されて（図８においては、４枚）、それぞれ、第２の根太材５、５の長手方向に沿って並べられるようにして、それら隣合う第２の根太材５、５間に架設される。但し、この実施の形態においては、前記側端根太材６は、境界部専用の根太材でなく、通常の根太材３を用いる。
【００２４】
図９は、連絡用床材２１が、支持脚１２により所定高さに支持された側端根太材６と、同じく支持脚１２、１２により所定高さに支持された第２の根太材５、５の内の、特に、通常の根太材５、５との間に架設された部分を示す斜視図である。連絡用床材２１は、縦断面略逆凸形状をしており、一方の長手方向縁部の裏面側には、側端根太材６によって支持される凹溝状の第１被支持部２１ａが形成されている。そして、連絡用床材２１の他方の長手方向縁部の裏面側には、第２の根太材５、５によって支持される平面状の第２被支持部２１ｂが形成されている。なお、図示実施の形態においては、第１被支持部２１ａおよび第２被支持部２１ｂは、それぞれ連絡用床材２１の本体２１ｃに取り付けられた合成ゴム等からなる第１の緩衝部材２１ｄ、第２の緩衝部材２１ｅにより形成されている。
【００２５】
このようにして、第三の実施の形態においては、連絡用床材２１、２１が、互いに離れて設置される側端根太材６と第２の根太材５、５との間を塞ぐようにして配設される。
【００２６】
なお、本発明は、上述した実施の形態に限定されるわけではなく、その他種々の変更が可能である。例えば、本発明に係る根太式床構造は、部屋全体でなく部屋の一部あるいは一画に実施してもよい。また、隙間用床材２は、その幅寸法が、標準床材１の幅寸法Ｂの１／５でなくとも、１／２、１／１５等、標準床材１の幅寸法Ｂよりも小さければよく、さらに、使用にあたって、これら幅寸法の異なる隙間用床材２を組み合わせてもよい。また、第２の根太材５は、部屋の他方の壁面４ｂ側だけでなく、一方の壁面４ａ側と他方の壁面４ｂ側との両者に設置するものであってもよい。
【００２７】
【発明の効果】
以上、詳述したところから明らかなように、この発明に係る根太式床構造によれば、次の効果がある。
【００２８】
請求項１ないし３のいずれか１項に記載された根太式床構造によれば、第２の根太材の長手方向に測った長さが短い床材を複数用意しておけば、これらの床材の内の１枚または複数枚を適宜選択して、第２の根太材間に架設するだけで、床材の設置範囲の外縁部分まで床材で満たすことができ、したがって、床材の配設作業が簡単化されて、その作業の能率を高めることができる。
【図面の簡単な説明】
【図１】  この発明に係る根太式床構造の第一の実施の形態の、根太材を設置した状態を示す平面図である。
【図２】  同じく、床材を配設した状態を示す平面図である。
【図３】  同じく、床材の架設状態を示す斜視図である。
【図４】  この発明に係る根太式床構造の第二の実施の形態の、根太材を設置した状態を示す平面図である。
【図５】  同じく、床材を配設した状態を示す平面図である。
【図６】  同じく、側端根太材の架設状態を示す斜視図である。
【図７】  この発明に係る根太式床構造の第三の実施の形態の、根太材を設置した状態を示す平面図である。
【図８】  同じく、床材を配設した状態を示す平面図である。
【図９】  同じく、連絡用床材の架設状態を示す斜視図である。
【図１０】  従来の根太式床構造を示す平面図である。
【符号の説明】
３  第１の根太材                ５  第２の根太材
５ａ  一方の先端部              ５ｂ  端面
５ｃ  他方の先端部              ６  側端根太材
６ａ  側面                      １１  側端根太材
２１  連絡用床材
【図１】
0003697033.tif 000002
【図２】
0003697033.tif 000003
【図３】
0003697033.tif 000004
【図４】
0003697033.tif 000005
【図５】
0003697033.tif 000006
【図６】
0003697033.tif 000007
【図７】
0003697033.tif 000008
【図８】
0003697033.tif 000009
【図９】
0003697033.tif 000010
【図１０】
0003697033.tif 000011